(57)【要約】      （修正有）【課題】長方形から円筒形の自在な形状に変形でき、好みや雰囲気に関わる変化にはシェード部の取り替えが容易に行え、自由な照明と自在な形状が楽しめるインテリアスタンドを提供する。【解決手段】背面に位置付けられた反射材３と湾曲するシェード部５から成る自由な照明と自在な形状のインテリアスタンドは、巻き取りつまみ１の回転で背面の反射材３を巻き取り、或いは巻き戻しすることでシェード部５の形状が長方形から円筒形に変化すると共に、色彩や模様として写真、絵画（具材が剥離する作品は除く）、印刷物等をシェード部５に用ることが可能である。【選択図】図１
2005259423.tif 000002
【特許請求の範囲】
【請求項１】
巻き取り軸（２）に取り付けられた反射材（３）の巻き取りつまみ（１）による巻き取り巻き戻しにより、シェード部（５）が光源（１１）を挟んで反射材（３）と対峙し、大きく湾曲した長方形から変形ガイド（７）に巻きついた円筒形へと自在な形状に変形する構造を持つ自由な照明と自在な形状のインテリアスタンド。
【請求項２】
光源（１１）の光の透過により絵柄模様（１３）を浮き立たせ、巻き取りつまみ（１）による巻き取り巻き戻しに合わせ湾曲する適度な柔軟性と弾力性を持ち、接続部（４）により取り替えが容易に可能なシェード部（５）を成す自由な照明を楽しめる〔請求項１〕の自由な照明と自在な形状のインテリアスタンド。
【発明の詳細な説明】
【技術分野】
【０００１】
室内照明や室内装飾として用いられる照明器具は環境や好みの変化に合わせて色彩や形状を変えることができない。このような状況において、巻き取り軸に取付けられた反射材と連結するシェード部から成り、巻き取りつまみの回転による反射材の巻き取り巻き戻しにに合わせシェード部が湾曲することにより、その形状が長方形から円筒形へ自在に変形すると共に、好みの変化に応じ接続部からシェード部を取り替えることで好みの照明を楽しめる構造を持つ、自由な照明と自在な形状のインテリアスタンドに関するものである。
【背景技術】
【０００２】
照明器具の中には写真の入れ替えや照明角度の調整が可能な物も存在するが基本的に色彩や形状は固定である。このため利用者は当初予定した設置場所の環境や雰囲気に合わせ、好みで求めた照明器具を環境や好みの変化に関係なく使い続けることとなり、使用頻度も低下する状況を招いている。
【発明の開示】
【発明が解決しようとする課題】
【０００３】
照明器具は基本的に環境や好みの変化に応じて色彩、及び形状を変化させることができない構造となっている。しかし、実生活においては室内の模様替えや設置場所の変更で環境や好みに変化が発生する。ここにおいて、設置環境の変化には長方形から円筒形の自在な形状に変形でき、好みや雰囲気に関わる変化にはシェード部の取り替えが容易に行え自由な照明が楽しめる自由な照明と自在な形状のインテリアスタンドの提供を課題とする。
【課題を解決するための手段】
【０００４】
課題には設置環境の変化に伴う設置スペースの制約から発生する形状の変化と、雰囲気や好みの変化による色彩やデザインの変化の２要素が含まれる。ここにおいて、形状の変化には〔請求項１〕に基づき、巻き取り軸（２）に取り付けられた反射材（３）の巻き取りつまみ（１）による巻き取り巻き戻しにより、シェード部（５）が光源（１１）を挟んで反射材（３）と対峙し、大きく湾曲した長方形から変形ガイド（７）に巻きついた円筒形へと自在な形状に変形する構造を持つことで、スペースが広く使える場所では反射材（３）を巻き戻した長方形の形状で使用し、スペースが狭い所では反射材（３）を巻き取った円筒形の形状で使用することで好みの絵柄模様（１３）をそのまま楽しむことが可能である。
【０００５】
また、もう１つの要素である雰囲気や好みの変化に対しては〔請求項２〕に基づき、光源（１１）の光の透過により絵柄模様（１３）を浮き立たせ、巻き取りつまみ（１）による巻き取り巻き戻しに合わせ湾曲する適度な柔軟性と弾力性を持ち、接続部（４）により取り替えが容易に可能なシェード部（５）であることから、好みの写真や水墨画、水彩画、クレパス画等の具材が剥離しない絵画若しくは、カレンダー等の印刷物を絵柄模様（１３）として用いることで、常に新鮮な雰囲気を醸し出す照明を楽しむことが可能となる。
【発明の効果】
【０００６】
室内の模様替えや設置場所の変更により発生した設置スペースの制約にも台座のスペースが確保できればお気に入りの絵柄模様はそのままに、形状を変えて継続して楽しむことができると共に、容易に取り替え可能なシェード部の絵柄模様として、思い出の写真や好みの色彩を用いることで、今までにない装うことができる照明の提供が可能となった。
【発明を実施するための最良の形態】
【０００７】
反射材（３）とシェード部（５）が接続部（４）で連結され、巻き取りつまみ（１）の回転により、反射材（３）が巻き取り軸（２）へ巻き取り或いは、巻き戻しされることに合わせ、シェード部（５）が変形ガイド（７）に沿って巻き付いて行くことにより、形状が大きく湾曲した長方形から円筒形へ変化すると共に、蝶番を形成する接続部（４）を含むシェード部（５）の取り替えにより、照明を装うことができる自由な照明と自在な形状のインテリアスタンドであることから、形状の変化に関わる機能的な事例を〔実施例１〕へ、照明の装いに関わるシェード部（５）の事例を〔実施例２〕へ表す。
【実施例１】
【０００８】
シェード部（５）を湾曲すると共に、光源（１１）の明かりを反射する素材は、光源（１１）に使用した４０Ｗ白熱灯において６０℃に達することから、耐熱性と反射効率及び、巻き取り巻き戻し動作に対応できる布地を反射材（３）として使用する。
【０００９】
この反射材（３）の両端へシェード部（５）と連結する接続部（４）をネジ止めするが、接続部（４）は市販のプラスチックまたは金属の蝶番を使用し、芯を抜き取った状態で二つに分解し片側を反射材（３）へもう一方をシェード部（５）へ使用することで同一形状を成す蝶番の使用により、シェード部（５）の取り替えが可能となる。
【００１０】
接続部（４）を取付けた反射材（３）の中央を巻き取り軸（２）へ小さな鋲と接着剤を用いて縦に取り付け、更に巻き取り軸（２）を本体の形成維持に充分な強度を持つ金属板をコの字に加工し、台座（１０）に木ネジで固定した本体支持部（９）と台座（１０）の軸受けの間に装着し、本体支持部（９）に開けられたハトメを通して巻き取りつまみ（１）と結合することで巻き取り巻き戻しの動作が可能となる。
【００１１】
次に、巻き取り巻き戻しの変形動作において形状の維持に必要な変形ガイド（７）として、反射材（３）が巻き取られる隙間を切り取った塩化ビニール製のリングを金属の薄板で作成した変形ガイド支持部（６）により、本体支持部（９）へ上部の変形ガイド（７）としてリベットで固定し、下部の変形ガイド（７）は台座（１０）へ釘で固定した。以上により、長方形から円筒形に自在に変化する〔請求項１〕の基本的な骨格が形成される。
【００１２】
変形動作は巻き取りつまみ（１）を回転することで反射材（３）が巻き取られて行くことに合わせ、接続部（４）で連結されたシェード部（５）が変形ガイド（７）に沿って巻き付いて行くことから湾曲して行くことになる。
【００１３】
更に、変形動作の繰り返しにより発生し得るシェード部（５）のユガミやズレを防止するため、シェード部（５）の中央上下をシェード部固定軸（８）で変形ガイド（７）中央に固定する。結果として、中央部が固定された状態で湾曲することとなり、長方形から円筒形への変形は左右対称となり、円滑な動作が得られた。
【実施例２】
【００１４】
照明の効果における反射材（３）とシェード部（５）の関係は使用する反射材（３）の反射率が低いと暗くなるものの、自由な照明と自在な形状のインテリアスタンド全体は柔らかな明るさとなり、反射率が高いとシェード部（５）の絵柄模様（１３）が鮮明になると共に、光と影のコントラストが大きくなる特性を示した。
【００１５】
つまり使用する反射材（３）の特性で雰囲気は変わることからシェード部（５）に使用する絵柄模様（１３）と合わせることで様々な照明効果を楽しむことが可能となる。このような結果からシェード部（５）は光源（１１）の光を透過すると共に、発熱に対応でき、巻き取り巻き戻しにおける柔軟性と適度な弾力性があり、両端に接続部（４）が取り付けられる素材であれば何れも使用可能である。
【００１６】
シェード部（５）の機能を確認するに当たり使用した素材は、背表紙（１２）に耐熱温度−５℃〜１２０℃の白色アクリルボードを使用し、絵柄模様（１３）に写真のプリント紙を使用し、表紙（１４）に透明なＯＨＰフィルムを用いて両端に〔実施例１〕で使用した蝶番の一方をネジ止めしてシェード部（５）とした。
【００１７】
この他、照明効果を確認する素材として水墨画とカレンダーの風景画を切り取り絵柄模様（１３）として使用したところ何れも趣が異なる照明として使用できることを確認した。
【産業上の利用可能性】
【００１８】
照明器具として形状の変化と共に照明自体を替えられることは、季節や設置環境に合わせて照明を装うことができることから、宿泊施設のルームライトやショールームのデザイン照明の他、写真や水彩画の展示装置としての利用が考えられる。
【図面の簡単な説明】
【００１９】
【図１】反射材を巻き戻した状態の斜視図である。
【図２】反射材を巻き取った状態の斜視図である。
【図３】シェード部を取り外した状態の斜視図である。
【図４】シェード部構成図と接続部拡大図である。
【符号の説明】
【００２０】
１巻き取りつまみ
２巻き取り軸
３反射材
４接続部
５シェード部
６変形ガイド支持部
７変形ガイド
８シェード部固定軸
９本体支持部
１０台座
１１光源
１２裏表紙
１３絵柄模様
１４表紙
【図１】
2005259423.tif 000003
【図２】
2005259423.tif 000004
【図３】
2005259423.tif 000005
【図４】
2005259423.tif 000006